Podtech/llm-jp-corpus-v4-ja_patent huggingface dataset:
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
（ａ）静止位置と発射位置との間で移動可能な弁心棒であって、
周囲密封表面を備える本体部分を備える弁心棒と、
（ｂ）弁本体であって、
本体壁と、
少なくとも部分的に前記本体壁によって画定される内部チャンバとを備える弁本体と、
（ｃ）開口を画定する内周縁を有する計量ガスケットであって、前記内部チャンバの最も内部側の端部の近くに設置されており、前記弁心棒の前記周囲密封表面に対して一時的に実質的な液密な端面シールを形成できるように構成されている計量ガスケットと、を備えるエアゾール計量弁であって、
前記弁心棒の前記静止位置において、前記弁心棒の前記本体部分は前記内部チャンバ内に位置し、前記弁心棒がその静止位置から発射位置に向かって移動されるとき、前記弁心棒の前記周囲密封表面は前記計量ガスケットと接触して端面シールを形成し、それによって計量チャンバを閉鎖し、その後、前記弁心棒がその発射位置に向かって更に移動することにより、前記計量ガスケットが、前記弁心棒の前記周囲密封表面との前記シールを維持しながら撓曲し、
付勢されていない形状の前記計量ガスケットは、実質的に平面的な形を有する環状ディスクであり、前記弁は、前記弁心棒の前記静止位置で前記計量ガスケットの前記内周縁が前記実質的に平面的な形にならないように、構成され配置されているか、又は、
前記計量ガスケットは、皿形の形状へと予め付勢されている、エアゾール計量弁。
【請求項２】
前記弁心棒の前記静止位置において、前記計量ガスケットは前記弁心棒と接触しない、請求項１に記載の弁。
【請求項３】
前記弁心棒の前記静止位置において、前記計量ガスケットの前記内周縁が、前記弁心棒の前記本体部分から離れて配置されている、請求項１又は２に記載の弁。
【請求項４】
前記弁心棒の前記静止位置において、前記計量ガスケットの前記内周縁が、前記弁心棒の前記本体部分に向かって配置されている、請求項１又は２に記載の弁。
【請求項５】
前記計量ガスケットの前記主表面の前記外周縁は、前記弁心棒の本体部分から離れて、半径方向に外向きに張力をかけられている、請求項３に記載の弁。
【請求項６】
前記計量ガスケットの前記主表面の前記外周縁は、前記弁心棒の前記本体部分に向かって、半径方向に外向きに張力をかけられている、請求項４に記載の弁。
【請求項７】
付勢されていない形状の前記計量ガスケットは、実質的に平面的な形を有する環状ディスクであり、前記弁は、前記弁心棒の前記静止位置において、前記計量ガスケットの前記内周縁が前記実質的に平面的な形にならないように、構成され配置されており、前記弁心棒の前記静止位置において、前記計量ガスケットの前記内周縁を前記実質的に平面的な形にしないために、前記計量ガスケットに作用するインサートが設けられている、請求項１〜６のいずれか一項に記載の弁。
【請求項８】
付勢されていない形状の前記計量ガスケットは、実質的に平面的な形を有する環状ディスクであり、前記弁は、前記弁心棒の前記静止位置において、前記計量ガスケットの前記内周縁が前記実質的に平面的な形にならないように、構成され配置されており、前記計量ガスケットの前記内周縁を前記実質的に平面的な形にしないようにするために、ある構成要素が設けられており、前記構成要素は、前記弁本体の前記本体壁を画定する構成要素と隣接して形成されている、請求項１〜６のいずれか一項に記載の弁。
【請求項９】
前記弁は周方向凹部を有し、前記計量ガスケットの前記外周縁は、前記周方向凹部内に保持され、付勢されていない形状の前記計量ガスケットは、実質的に平面的な形を有する環状ディスクであり、前記弁は、前記弁心棒の前記静止位置において、前記計量ガスケットの前記内周縁が前記実質的に平面的な形にならないように、構成され配置されており、前記周方向凹部は、前記計量ガスケットの前記内周縁を前記実質的に平面的な形にしないようにするために、突出部を備えているか、角度を付けられているか、又は湾曲している、請求項１〜８のいずれか一項に記載の弁。
【請求項１０】
前記弁心棒は、吐出通路を有する心棒部分を更に備え、前記弁本体は隔膜を更に備え、その隔膜は、前記弁心棒の前記心棒部分と摺動可能な密封係合をなす開口を画定する壁を有し、前記弁心棒の前記本体部分は計量表面を更に備え、前記計量表面は、前記弁心棒の前記静止位置において、前記計量表面の大部分が前記弁本体の内部表面及び／又は前記隔膜の内部表面と接触して静止し、前記弁心棒がその静止位置から発射位置に向かって移動されるとき、計量チャンバが前記内部表面と前記弁心棒の計量表面との間に形成されるように、前記心棒部分の近くに構成され配置されており、前記計量チャンバの容量は、前記弁心棒が変位するにつれて増加し、ついには、前記弁心棒の前記周囲密封表面が前記計量ガスケットと接触して端面シールを形成し、それによって前記計量チャンバが閉鎖され、その後に前記弁心棒が更に移動することにより、前記弁心棒の前記心棒部分にある前記吐出通路の開口部が前記隔膜を通り過ぎて前記計量チャンバと流体連通することが可能となる、請求項１〜９のいずれか一項に記載の弁。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
牽引装置であって、口腔内へ送達され得る圧迫された形状であることに適合でき、さらに口腔内で圧迫が解かれた形状となって使用可能な作業領域を作ることに適合できる形状順応性構造を有し、前記使用可能な作業領域は口腔内アクセシビリティ（接近性）の向上および口腔内可視性の向上を提供するものである牽引装置。
【請求項２】
請求項１記載の装置において、前記順応性構造はフレームである牽引装置。
【請求項３】
請求項２記載の装置において、前記順応性構造は、さらに膜を有するものである牽引装置。
【請求項４】
請求項１に記載の装置において、この装置はさらに、（ａ）光源、（ｂ）舌用リトラクター、（ｃ）少なくとも１つの排出構成部品、又は、（ｄ）前記装置を通して呼吸することを容易にする少なくとも１つのアパーチャ（開口部）有するものである牽引装置。
【請求項５】
請求項１記載の装置において、前記装置は１分間未満で装着することに適応できるものである牽引装置。
【請求項６】
請求項１記載の装置において、前記装置は２０秒間未満で装着することに適応できるものである牽引装置。
【請求項７】
請求項４に記載の装置であって、前記舌用リトラクターがさらに舌を収容し、閉じこめることに適応できるものである牽引装置。
【請求項８】
請求項７記載の装置において、前記舌用リトラクターは舌をどちらの歯列弓をも越えずに反らせることに適応できるものである牽引装置。
【請求項９】
請求項１記載の装置において、前記装置は少なくとも１歯列弓の周囲軟組織を牽引することに適応できるものである牽引装置。
【請求項１０】
請求項１記載の装置において、前記装置は上顎歯列弓および下顎歯列弓の周囲軟組織を牽引することに適応できるものである牽引装置。
【請求項１１】
請求項１に記載の装置において前記装置は口腔にある歯肉組織の少なくとも１部分を隔離するのに適応できるものである牽引装置。
【請求項１２】
請求項１記載の装置において、スキャニングは少なくともデジタルスキャンニング、またはオプティカルスキャニングの１つを有するものである牽引装置。
【請求項１３】
請求項１記載の装置において、前記装置は20秒間未満で両歯列弓を隔離することに適応できるものである牽引装置。
【請求項１４】
請求項１記載の装置において、前記装置は、歯牙表面へのアクセスを妨げずに配置することに適応でき、かつ、さらに患者に最大の快適さを提供することに適応できるものである牽引装置。
【請求項１５】
口腔内組織を牽引する方法は、
口腔内へ送達され得る圧迫された形状であることに適合でき、さらに口腔内で圧迫が解かれた形状となって使用可能な作業領域を作ることに適合できる形状順応性構造を有し、前記使用可能な作業領域は口腔内アクセシビリティの向上および口腔内可視性の向上を提供する牽引装置を挿入するステップと、
前記作業領域を作るために牽引装置を口腔内に配置するステップとを有する方法。
【請求項１６】
請求項１５記載の方法において、前記配置するステップは１分間未満で実施されるものである方法。
【請求項１７】
請求項１５記載の方法において、前記配置するステップは２０秒間未満で実施されるものである方法。
【請求項１８】
口腔内組織を牽引するためのキットは、
口腔内へ送達され得る圧迫された形状であることに適応でき、さらに圧迫が解かれた形状となって使用可能な作業領域を口腔内に作ることに適応できる形状順応性構造を有し、前記使用可能な作業領域は口腔内へのアクセシビリティの向上および口腔内の可視性の向上を提供することを有するキット。
【請求項１９】
請求項１８に記載のキットにおいて、このキットはさらに、（ａ）舌用リトラクター、（ｂ）照明リング、（ｃ）排出構成部品、（ｄ）フレームの上にぴったり合わせることに適応できる膜、（ｅ）歯肉保護カバー、又は、（ｆ）口唇リングを有するものであるキット。
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
膀胱から患者の腹部を通る外科的進路をつくるために使用される恥骨上経尿道的膀胱瘻造設の器具において、
互いに対して傾斜した近位部分と遠位部分を含んでいる細長い中空の管状本体であって、前記遠位部分が尿道を通って前記膀胱内へ挿入されるように構成されており、前記近位部分が前記尿道の中であって前記膀胱内の前記遠位部分を操縦するために前記尿道の外側にとどまるように構成され、前記遠位部分が直線の軸に沿ってのびるとともに前記遠位部分の遠位端において終端する直線区間を含んでいる、管状本体と、
前進運動及び後退運動のために前記管状本体内に配置された前進部材であって、前記前進部材は前記管状部材の前記遠位端及び近位端にそれぞれ配置された遠位端及び近位端を有し、前記前進部材の前記遠位端が、前記管状部材の前記遠位端から前記管状部材の前記遠位部分の前記直線区間の前記軸に沿う直線進路内にのびて、前記管状部材の前記遠位部分の前記遠位端が前記膀胱の壁に隣接して配置されている間、前記前進部材が十分に前進運動をして前記膀胱から前記腹部を通る前記外科的進路をつくる、前進部材と、
前記管状部材の前記遠位部分の前記直線区間の前記軸を示すためのインジケータと、
前記患者の外側に配置されるよう構成されるとともに前記管状部材の前記近位部分と前記インジケータとの間で動作可能に取り付けられた整列構造であって、前記整列構造は、前記インジケータを前記管状部材の前記遠位部分の前記直線区間の前記軸と同軸的に整列させた状態に配置するとともに、前記同軸的な整列を維持しながら、前記管状部材の前記遠位部分の前記遠位端に対して前記軸に沿う所定の範囲の距離に沿う前記インジケータの調節できる運動を許容する、整列構造とを備えている器具。
【手続補正書】
【提出日】平成23年9月30日(2011.9.30)
【手続補正１】
【補正対象書類名】特許請求の範囲
【補正対象項目名】請求項１
【補正方法】変更
【補正の内容】
【請求項１】
歯から生物膜を洗浄するための装置であって、
前記生物膜における細菌の効果的な除去に関連する範囲のサイズを持ち且つそれぞれが共鳴周波数を持つ液体媒体中の気泡の発生源と、
大部分の前記気泡の共鳴周波数に対応する周波数を含む超音波周波数範囲を持つ超音波信号の供給源であって、前記超音波信号は、気泡及び液体の流れに適用される、超音波信号の供給源と、
を有する装置。
【手続補正２】
【補正対象書類名】特許請求の範囲
【補正対象項目名】請求項１８
【補正方法】変更
【補正の内容】
【請求項１８】
選択された表面から生物膜を洗浄するための装置であって、
前記生物膜における細菌の効果的な除去に関連する範囲のサイズを持ち且つそれぞれが共鳴周波数を持つ液体媒体中の気泡の発生源と、
大部分の前記気泡の共鳴周波数に対応する周波数を含む超音波周波数範囲を持つ超音波信号の供給源であって、前記超音波信号は、気泡及び液体の流れに適用される、超音波信号の供給源と、
を有する装置。
【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
医用デバイス（10）において、
末端側把掴要素（48）及び基端側把掴要素（46）を備えており、該末端側把掴要素及び基端側把掴要素は、それぞれ、該把掴要素が挿入されている管体の挿入部位を拡げることができるように構成されており、該末端側把掴要素および基端側把掴要素は、それぞれ、脚状部を備えており、各脚状部は、腿状部と、脛状部と、膝状部とを備えており、該膝状部は該腿状部を該脛状部に連結しており、
引き寄せ手段（42,44）を備えており、該引き寄せ手段は、前記末端側把掴要素及び前記基端側把掴要素を互いに近付く方向へ移動させることにより、前記膝状部を屈曲させて、前記脛状部を前記デバイスの中心軸線に対して９０°を超える角度で折り畳み、前記管体に重畳部を形成して、該重畳部をそれら脛状部の間でクランプするように構成されており、
トリガ手段（20）を備えており、該トリガ手段は、前記末端側把掴要素及び／又は前記基端側把掴要素を前記重畳部が捻られるように相対的に回転させるように構成されている、
ことを特徴とする医用デバイス。
【請求項２】
前記腿状部の軸心方向長さは、前記脛状部の軸心方向長さより長いことを特徴とする請求項１記載の医用デバイス。
【請求項３】
前記末端側把掴要素（48）及び前記基端側把掴要素（46）はいずれも、中心線の周囲に周方向に等間隔で配設された複数の脚状部を備えており、前記末端側把掴要素及び前記基端側把掴要素のそれら複数の脚状部は２列の脚状部列を成すように配設されており、それら２列の脚状部列は、前記末端側把掴要素の前記脚状部から成る末端側脚状部列と、前記基端側把掴要素の前記脚状部から成る基端側脚状部列とであることを特徴とする請求項１又は２記載の医用デバイス。
【請求項４】
前記末端側脚状部列は基端側へ向けられ、前記基端側脚状部列は末端側へ向けられており、前記末端側把掴要素及び前記基端側把掴要素が展開状態にあるときに、前記末端側把掴要素及び前記基端側把掴要素（48,46）の前記脛状部が互いに対向するようにしてあることを特徴とする請求項３記載の医用デバイス。
【請求項５】
各把掴要素（46,48）は、ニッケル−チタン合金材料から成ることを特徴とする請求項１〜４のいずれか１項記載の医用デバイス。
【請求項６】
各把掴要素（46,48）は、ポリマー材料から成ることを特徴とする請求項１〜４のいずれか１項記載の医用デバイス。
【請求項７】
各把掴要素（46,48）は、組織と係合するように形成された先端縁を備えており、該先端縁は、鈎爪部、列設突起部、掛歯部、掛鈎部、尖端突起部、剛毛状突起部、針金状突起部、高摩擦係合部、粘着部、及び／又は、膨出部のうちの少なくとも１つを備えていることを特徴とする請求項１〜６のいずれか１項記載の医用デバイス。
【請求項８】
各把掴要素（46,48）は、前記膝状部に形成される、鈎爪部、列設突起部、掛歯部、掛鈎部、尖端突起部、剛毛状突起部、針金状突起部、高摩擦係合部、粘着部、及び／又は、膨出部のうちの少なくとも１つを備えていることを特徴とする請求項１〜６のいずれか１項記載の医用デバイス。
【請求項９】
前記末端側把掴要素及び前記基端側把掴要素（48,46）は、非展開状態と前記管体の一部を拡げるための展開状態とを有することを特徴とする請求項１〜８のいずれか１項記載の医用デバイス。
【請求項１０】
前記引き寄せ手段（42,44）は、前記脚状部の膝状部を屈曲させて、前記脛状部を前記中心軸線に対して９０°を超える角度で折り畳む前に、前記トリガ手段（20）による回転のため、前記脛状部の各々が前記デバイスの軸心に対して垂直となるように、前記末端側把掴要素及び基端側把掴要素（48,46）を互いに近付く方向へ移動させるように構成されていることを特徴とする請求項１〜９のいずれか１項記載の医用デバイス。
【請求項１１】
前記末端側把掴要素及び基端側把掴要素（48,46）は、前記トリガ手段の操作により、互いに反対方向に回転可能であることを特徴とする、請求項１〜１０のいずれか１項記載の医用デバイス。
【請求項１２】
前記末端側把掴要素及び基端側把掴要素（48,46）は、トリガ手段によって展開されることを特徴とする請求項９記載の医用デバイス。
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
植え込まれた構造物を、患者の生体組織から摘出するため、近位端と、遠位端と、それらの間を少なくとも実質的に貫通して伸張している通路とを有する細長いシース部材と係合される先端チップであって、
近位端と、遠位端と、それらの間を貫通している通路とを有し、前記近位端は前記シース部材の遠位端と係合可能とされており、前記それぞれの通路は、前記埋め込まれた構造物を受け入れるサイズとされ相互に整合されており、当該先端チップの遠位端は、前端縁に向かってテーパのつけられたテーパ部分と、該テーパ部分から近位方向に延びる円筒状部分と、該先端チップの遠位端の外側表面に沿って配置された分離器要素を備えており、該分離器要素は、前記円筒状部分上に配置され、螺旋状に該円筒状部分の軸線方向で延びる複数の螺旋体を有し、当該先端チップが前記植え込まれた構造物を前記通路内に受け入れるようにして進められるときに前記生体組織を該構造物から分離するように作られている、先端チップ。
【請求項２】
前記螺旋体が円筒状部分の略全長に沿って延びている、請求項１に記載の先端チップ。
【請求項３】
前記螺旋体の少なくとも１つは、その長さ方向で非連続的にされている請求項２に記載の先端チップ。
【請求項４】
前記先端チップの近位端は小径とされ、前記遠位端は近位端よりも大径とされており、小径の近位端は、前記シース部材の内面に係合されるようなサイズと形状にされている請求項１に記載の先端チップ。
【請求項５】
前記先端チップの小径の近位端が、前記シース部材の遠位端の前記内側表面に係合させるようにされた取付部材を有しており、該取付部材は前記先端チップの外表面に沿って間隔をあけて設けられた複数のリングを含み、該リングは前記先端チップの前記遠位端の方向において幅が増加するような順に並べられている請求項４に記載の先端チップ。
【請求項６】
前記リングの少なくとも１つは、前記シース部材と係合して前記先端チップの回転を阻止するための切れ目部分を含んでいる、請求項５に記載の先端チップ。
【請求項７】
植え込まれた細長い構造物を身体血管内の生体組織から取り出すための装置において、
植え込まれた細長い構造物を受け入れるサイズとされたルーメンを有し、血管内の埋め込まれた細長い構造物を追跡するのに十分な可撓性を有する細長いシース部材と、
近位端と、遠位端と、それらの間を貫通している通路とを有する先端チップであって、前記近位端は前記シース部材の遠位端と係合可能とされており、前記それぞれの通路は、前記埋め込まれた構造物を受け入れるサイズとされ相互に整合されており、前記先端チップの遠位端は、前端縁に向かってテーパのつけられたテーパ部分と、該テーパ部分から近位方向に延びる円筒状部分と、該先端チップの遠位端の外側表面に沿って配置された分離器要素を備えており、該分離器要素は、前記円筒状部分上に配置され、螺旋状に該円筒状部分の軸線方向で延びる複数の螺旋体を有し、当該先端チップが前記植え込まれた構造物を前記通路内に受け入れるようにして進められるときに前記生体組織を該構造物から分離するように作られている、先端チップと,
を有する装置。
【請求項８】
少なくとも１つの前記螺旋構造体がその長さ方向で非連続的に形成されている請求項７に記載の装置。
【請求項９】
更に、前記シース部材の回転方向及び軸線方向動きの少なくとも一方を行うために前記細長いシース部材と作用的に係合している駆動部材を有する請求項７に記載の装置。
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
吸気開口部を画定するレスピレーターシェルと、
前記吸気開口部内で配置可能な吸気導管と、
前記吸気導管を覆ってフィットし、前記吸気導管と外側装置との間に前記レスピレーターシェルの一部分を挟むように構成された外側装置と、を含むレスピレーターアセンブリであって、
前記吸気導管は、前記外側装置に取り付けられていないときには、前記吸気開口部から取り外し可能であるように構成されている、レスピレーターアセンブリ。
【請求項２】
レスピレーターアセンブリをホースに取り付ける方法であって、
前記レスピレーターアセンブリは、前記レスピレーターアセンブリを着用しているユーザーのために、呼吸可能な空気領域を画定するフードを有し、
レスピレーターフードの吸気開口部内で吸気導管を挿入するステップであって、前記吸気導管は、前記フードに接着されていない、又は恒久的に接続されていない、ステップと、
前記吸気導管を覆って外側装置をフィットさせるステップであって、これによって前記レスピレーターフードを前記吸気導管と外側装置との間に挟み、前記外側装置は、ホースに流体連通して取り付けられるように構成された末端部を含む、ステップと、を含む、方法。
【請求項３】
ホースを前記吸気導管の末端部に取り付けるステップを更に含み、前記ホースは呼吸可能な空気の供給源と流体連通している、請求項２に記載の方法。
【請求項４】
吸気開口部を画定するレスピレーターシェルと、
前記吸気開口部内に配置された吸気導管であって、第１構造体を含む外面を含む、吸気導管と、
前記吸気導管を覆ってフィットし、前記吸気導管と外側装置との間に前記レスピレーターホースを挟むように構成された外側装置であって、前記第１構造体と噛み合う第２構造体を有する内側表面を含む、外側装置と、を含む、レスピレーターアセンブリ。
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
レスピレーター用の空気流制御システムであって、
レスピレーターを着用するユーザーのために呼吸可能な空気領域を画定するシェルと、
前記レスピレーターの前記シェル内の送気導管と、
前記送気導管に対して、かつ前記シェル内で移動可能であり、前記送気導管を通る前記
空気流を変化させるためのバルブ部材と、
前記レスピレーターの着用中に前記バルブ部材の動きを制御するために、ユーザーによ
って回転可能である前記レスピレーターの前記シェルの外側の外側装置と、を含む、空気
流制御システム。
【請求項２】
レスピレーター内の空気流を制御する方法であって、
前記レスピレーターのシェル内の送気導管を通る空気を押すステップであって、前記シ
ェルは前記レスピレーターを着用するユーザーのために呼吸可能な空気領域を画定する、ステップと、
前記レスピレーターの着用中に、前記送気導管を通る前記空気量を変化させるために、
前記レスピレーターのユーザーによって、外側装置をシェルの外側へかつシェルに隣接し
て回転させるステップと、を含む、方法。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
体液試料の生成のために皮膚を穿刺し、該試料中に含まれる検体を検出することによって皮膚穿刺分析を自動的に実施するための分析システムであって、該分析システム（１１０）が、
その各々が穿刺要素（３００）と分析要素（３０１）とを含む複数の区画（１１６）を有するカートリッジ（１１２）であって、穿刺要素（３００）が皮膚の穿刺を実施する穿刺先端部（３００ａ）と液体試料を分析要素（３０１）に移送するための試料移送毛管（３０８）とを有し、分析要素（３０１）が試料中に含まれる検体と反応して所望の分析結果に特徴的な測定量の測定可能な変化をもたらす試薬システムを備えた、カートリッジと、
ハウジング（１１８）と、分析に必要なハウジング（１１８）内の部分の駆動動作のための駆動アセンブリ（１２３）とを有する再使用可能な携帯型機器（１１３）と、を備えており、
駆動アセンブリ（１２３）が、手動生成された機械力により少なくとも次の動作、
（ａ）穿刺位置（１９７）に配置されたカートリッジ（１１２）の区画内の穿刺要素（３００）の１つが駆動アセンブリ（１２３）に連結される連結動作と、
（ｂ）カートリッジ（１１２）に含まれ、駆動アセンブリ（１２３）に連結された１つの穿刺要素（３００）の穿刺および試料採取動作であって、該動作は、穿刺先端部が最大移動点に到達するまでの穿刺方向における前方移動段階と、最大移動点後の穿刺方向に反対の後方移動段階であって、該後方移動段階の間においては、試料移送毛管に試料を吸引可能にするために前方移動段階に比べて速度が減速される、穿刺および試料採取動作と、
（ｃ）テストエレメント（１１４）が元のカートリッジの区画内に輸送される再カートリッジ化動作と、
を駆動するように適合された分析システム。
【請求項２】
駆動アセンブリが、手動生成された機械力によって、未使用のテストエレメントを含む区画（１１６）を穿刺位置に輸送するためのカートリッジ（１１２）の指標動作を駆動するように適合されてなる請求項１記載の分析システム。
【請求項３】
穿刺要素（３００）を有する穿刺部（１１４ａ）と分析要素（３０１）を有する分析部（１１４ｂ）とを含む一体型の穿刺および分析要素であるテストエレメント（１１４）であって、該テストエレメント（１１４）の分析部（１１４ｂ）が試薬システムを含む反応部位（３０３）を備えた、テストエレメントを備え、穿刺要素（３００）が分析要素（３０１）の反応部位（３０３）と永久的に流体接続しており、毛管溝（３０５）が毛管力による液体試料の試薬システムへの輸送のために反応部位（３０３）に通じてなる請求項１または２記載の分析システム。
【請求項４】
テストエレメント（１１４）の分析部（１１４ｂ）が、光学測定を実施するために反応部位に配置された遠位端（３１７）を有する導光管（３１４）を備えてなる請求項３記載の分析システム。
【請求項５】
試薬システムの少なくとも試薬の一部が、導光管（３１４）の遠位（後）端面に固定されてなる請求項４記載の分析システム。
【請求項６】
分析要素（３０１）が、穿刺要素（３００）とは別にカートリッジ（１１２）の区画（１１６）内に固定されており、
液体試料が、穿刺要素の動作の結果、穿刺要素（３００）から分析要素（３０１）へ区画内を移送され、該移動が、手動生成された力により駆動アセンブリによって駆動されて、穿刺要素を試料移送のために分析要素（３０１）と接触する試料移送位置に移動させる請求項１または２記載の分析システム。
【請求項７】
所望の分析結果に特徴的な測定量が光学的に測定可能な量であり、システムが光学的に測定可能な測定量を測定するための光学測定装置を備えており、また好ましくは、光学測定装置の光検出器が穿刺位置に適合して配置されているため、穿刺位置に配置された区画（１１６）に固定された分析要素（３０１）の光学測定量の変化が測定可能である請求項６記載の分析システム。
【請求項８】
カートリッジ（１１２）が、ドラムカートリッジである請求項１〜７のいずれか１項に記載の分析システム。
【請求項９】
カートリッジの区画（１１６）が、その内部に含まれた要素（３００，３０１）の滅菌を保持し、環境汚染物を除去する少なくとも１つのバリアを備え、該少なくとも１つのバリアが、区画（１１６）の開口部を被覆する箔バリア（４０２）と、テストエレメント（１１４）と区画（１１６）の壁（４１２）との間のテーパ状のプラグシール（４０８）と、の少なくとも１つを含む請求項１〜８のいずれか１項に記載の分析システム。
【請求項１０】
機器が区画（１１６）の箔バリア（４０２）を開口するための箔開口部（１９２）を備えており、これによって、箔バリア（４０２）の開口が穿刺要素（３００）から独立して行われ、箔バリアの開口に必要な動作が手動生成された力により駆動アセンブリ（１２３）によって駆動される請求項９記載の分析システム。
【請求項１１】
手動生成された力が作動装置（１２４）の往復運動により駆動アセンブリに印加され、該作動装置の往復運動が、穿刺方向と反対の定位置から延伸位置への後方移動と、穿刺方向において定位置へ向かう前方移動とからなり、機器（１１３）が定位置において作動装置（１２４）と共に保管されるように適合されてなる請求項１〜１０のいずれか１項に記載の分析システム。
【請求項１２】
作動装置（１２４）の各々の後方および前方移動が、連結動作、穿刺および試料採取動作、および再カートリッジ化動作のうちの少なくとも１つに対して機械エネルギーを供する請求項１１記載の分析システム。
【請求項１３】
駆動アセンブリが２つのカム駆動機構（１５７，１５９）を有するカム制御部（１５５）を備えており、各々のカム駆動機構（１５７，１５９）が、カム（１３０ａ，１３２ａ）を有するカムロータ（１３０，１３２）と、カム（１３０ａ，１３２ａ）に係合するカム従動子（１５６，１５８）とを含み、これによって穿刺要素の動作の第１の部分が、カム従動子（１５８）と一方のカム駆動機構（１５９）のカム（１３２ａ）との間の相対的運動により決定され、穿刺要素の動作の第２の部分が、カム従動子（１５６）と他方のカム駆動機構（１５７）のカム（１３０ａ）との間の相対的運動により決定される請求項１〜１２のいずれか１項に記載の分析システム。
【請求項１４】
２つのカム（１３０ａ，１３２ａ）の距離が、穿刺要素の動作の後方段階の調整のために、ロータ（１３０，１３２）の軸方向において調整可能である請求項１３記載の分析システム。
【請求項１５】
所望の分析結果に特徴的な測定可能量の測定が、再カートリッジ化動作の後に実施される請求項１〜１４のいずれか１項に記載の分析システム。
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
外の腹壁と膀胱との間の外科的開口を通って中に挿入し、拡張し、接近するための、拡張器、カニューレ、及び栓塞子を組み合わせて備える膀胱アクセス器具において、
前記拡張器が、
反対側にある第１端部及び第２端部並びにその両端部間をのびる貫通通路を有する環状本体であって、前記環状本体は、互いに反対側にある一対のスロットを有するとともに前記第１端部と前記第２端部との中間において縦にのびている環状本体と、
前記環状本体の前記第１端部に接続可能な細長いスタイレットであって、前記スタイレットは、前記環状本体の前記第１端部に接続されているとき、前記貫通通路を通って前記環状本体の前記第２端部を越えて配置されたロッドの端部まで長手方向にのびているロッドを有し、前記スタイレットは、前記環状本体から接続を解除して前記貫通通路内から取り外して抜き出すことが可能である、スタイレットと、
前記環状本体の前記第２端部に接続されるとともに、前記貫通通路の両側に長手方向且つ前記スタイレットが前記環状本体に接続されているとき前記ロッドの両側であって前記ロッドに沿ってのびる一対の細長いアームであって、各アームは、前記環状本体の前記第２端部から、前記ロッドの端部に隣接した位置において前記第２端部から長手方向に離間して配置されている自由端までのびており、各アームは、前記環状本体内の前記スロットの別々の１つと整列された中空のチャネルを有する管状部材を備えており、各管状部材が、各自由端に隣接する位置において前記管状部材を通る前記チャネルからのびる窓を有しており、各窓が、前記窓が配置されている前記管状部材内の前記ロッドから見て外方に向いている、細長いアームと、
各チャネルに滑動可能に受け入れられる細長い弾性を有する条片であって、各条片の第１端部が、前記条片に取り付けられ前記環状本体内の前記整列されたスロットを通って外方へのびるとともに係止位置と係止解除位置との間を前記スロットに沿って移動する把持部材を有し、各条片の反対側の第２端部が、前記窓にある前記チャネル内に配置されており、各条片の前記第２端部の延長部が、前記把持部材を前記係止位置まで動かすとき、前記窓から前記管状部材を越えて外方へのびており、前記延長部が、前記把持部材を前記係止解除位置まで動かすとき、前記窓及び前記チャネル内に後退する、条片と、
前記スタイレットが前記環状本体に接続されているとき、各アームの前記自由端を前記ロッドの端部に接続するアームコネクタであって、前記スタイレットが前記環状本体から接続解除されて前記ロッドが前記貫通通路から取り外されるとき、各アームの前記自由端を前記ロッドの端部から解放するアームコネクタとを備えており、
前記カニューレが、前記環状本体の前記貫通通路内に挿入され且つ前記スタイレットの接続が前記環状本体から解除されて前記貫通通路内から前記ロッドが取り外され後に前記アーム間をのびるよう構成されている剛性を有する細長い中空の管状本体であって、前記環状本体の両端間をのびる内側の通路を画定している中空の管状本体を備え、
前記栓塞子が、前記管状本体の前記内側の通路内に受け入れられるサイズを有する剛性を有する円筒形部材であって、前記スタイレットの接続が前記環状本体から解除されて前記貫通通路内から前記ロッドが引っ込められた後に前記円筒形部材及び前記管状本体が前記環状本体の前記貫通通路内に挿入されたとき前記管状本体とともに運動可能である円筒形部材を備え、
前記アームの前記自由端は、前記アームコネクタによって前記ロッドの端部に接続されているとき互いに比較的近接して置かれ、
前記スタイレットの接続解除及び取り外しの後の前記円筒形部材の前記貫通通路を通る前記管状本体内への前記挿入は、前記円筒形部材の先細の前記自由端が前記アームに接触すこと及び前記アームを外方へ撓ませることを及び前記外科的開口を拡張することを、前記アームが比較的さらに離れた状態で、引き起こし、
前記環状本体の前記貫通通路を通り且つ前記アーム間の前記管状本体内への前記円筒形部材の挿入による前記外科的開口の拡張の後の前記円筒形部材の前記管状本体の前記内側の通路内からの取り外しは、前記管状本体の前記内側の通路を通り前記膀胱への接近を許容し、
各条片の前記延長部は、前記アームが互いに比較的近接して置かれているあいだ前記アームが外方へ撓まされて前記栓塞子を前記外科的開口内に保持するときに、前記窓から外方へ拡張可能である、器具。
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
経時的に行われ、各々１つ以上のパラメータについて、複数の時間間隔で、変動の尺度を計算する変動解析を実行する方法であって、該変動の尺度の各々は、ある時間間隔にわたって、それぞれのパラメータが変化する程度および特徴を示し、
前記変動解析中に記録された臨床事象を入手するステップと、
前記変動解析中に入手したデータと相関させるために、１つ以上のタイムスタンプを、前記臨床事象に関連付けるステップと、
１つ以上の変動解析の結果を表す、データパッケージの中の前記臨床事象を、前記１つ以上のパラメータと関連付けるステップと
を備えたことを特徴とする方法。
【請求項２】
前記臨床事象は、患者と交信する１つ以上のセンサから、センサデータを入手するようにも構成される、患者インターフェースを通して入手されることを特徴とする請求項１に記載の方法。
【請求項３】
前記臨床事象は、外部的事象を検出することにより、自動的に記録されることを特徴とする請求項１に記載の方法。
【請求項４】
前記臨床事象は、検出された際に、ユーザが前記臨床事象を手動で記録することを可能にするため、ディスプレイを有する事象記録装置を使用して記録されることを特徴とする請求項１に記載の方法。
【請求項５】
複数の施設で経時的に行われる変動解析を支援するため、
前記施設と中央サービスとの間に、接続を提供するステップと、
前記施設で行われた１つ以上の変動解析の結果を表す、１つ以上のデータファイルを含む、データパッケージを準備するステップと、
前記中央サービスが、前記データパッケージを、他のデータパッケージとともに中央データベース内に格納することを可能にするために、および前記データベースをさらなる処理のために利用可能にするために、前記中央サービスが前記データパッケージを利用可能であるようにするステップと、
前記中央サービスから、前記変動解析のパラメータに関し、かつ前記中央データベースの内容に由来する情報を含む、閾値データを入手するステップと、
前記中央サービスから、前記施設の、前記複数の施設の他のものとの一貫性を維持するための情報を含む、更新データを入手するステップと
をさらに備えたことを特徴とする請求項１に記載の方法。
【請求項６】
前記閾値データは、前記変動解析を行う際に、前記複数の施設によって使用されることになる閾値に関する情報を含み、前記閾値は、１つ以上の警報をトリガするために使用されるように構成されることを特徴とする請求項５に記載の方法。
【請求項７】
前記施設の各々は、病院施設、臨床施設、または移動施設であり、前記病院施設は、少なくとも１つの患者インターフェースに接続された、少なくとも１つの変動解析サーバであって、各患者インターフェースは、患者のそれぞれのパラメータを測定するために、少なくとも１つのセンサに接続される、変動解析サーバと、前記病院施設の内部の既存システムへの、１つ以上の追加的インターフェースとを含むことを特徴とする請求項５に記載の方法。
【請求項８】
前記施設の各々は、病院施設、臨床施設、または移動施設であり、前記臨床施設は、少なくとも１つの患者インターフェースに接続された、少なくとも１つの変動解析サーバであって、各患者インターフェースは、患者のそれぞれのパラメータを測定するために、少なくとも１つのセンサに接続された、変動解析サーバと、前記少なくとも１つの変動解析サーバに接続された監視センタとを含むことを特徴とする請求項５に記載の方法。
【請求項９】
前記施設の各々は、病院施設、臨床施設、または移動施設であり、前記移動施設は、少なくとも１つの患者インターフェースに接続された、少なくとも１つの変動解析サーバであって、各患者インターフェースは、患者のそれぞれのパラメータを測定するために、少なくとも１つのセンサに接続された、変動解析サーバを含み、前記解析サーバおよび前記患者インターフェースは、モバイルデバイスによってホストされることを特徴とする請求項５に記載の方法。
【請求項１０】
請求項１ないし９のいずれか１項に記載の方法を実行するための、コンピュータが実行可能な命令を含む、コンピュータ可読媒体。
【請求項１１】
請求項１０に記載のコンピュータ可読媒体を含む、経時的に行われる変動解析を実行するシステム。
【請求項１２】
前記臨床事象を捕捉するための事象記録装置であって、ユーザにインターフェースを提供するためのディスプレイを有する事象記録装置と、前記変動解析中に記録された臨床事象を入手するためのコンピュータが実行可能な命令を備えるコンピュータ可読媒体とを含み、前記変動解析中に入手したデータと相関させるために、１つ以上のタイムスタンプを、前記臨床事象に関連付けることを特徴とする請求項１１に記載のシステム。
【請求項１３】
前記臨床事象は、患者と交信する１つ以上のセンサから、センサデータを入手するようにも構成される、患者インターフェースを通して入手されることを特徴とする請求項１２に記載のシステム。
【請求項１４】
前記臨床事象は、外部的事象を検出することにより、自動的に記録されることを特徴とする請求項１２に記載のシステム。
【請求項１５】
前記臨床事象は、検出された際に、ユーザが前記臨床事象を手動で記録することを可能にするために、ディスプレイを有する事象記録装置を使用して記録されることを特徴とする請求項１２に記載のシステム。
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
詰まりのない毛細管システムを維持するように液体又はエーロゾルを分注する方法であって、
ポンプユニットからエーロゾル発生ユニットの毛細管へある一定の流量で液体製剤を供給する段階と、
前記流量を第１の流量から第２の流量へ定期的に増加させる段階と、
より高い濃度を有する液体製剤に対して流量増加の頻度を増加する段階とを含むことを特徴とする方法。
【請求項２】
前記エーロゾル発生ユニットの前記毛細管内で前記液体製剤の少なくとも一部分を気化させる段階を更に含むことを特徴とする請求項１に記載の方法。
【請求項３】
前記第２の流量は、前記第１の流量の少なくとも２倍であることを特徴とする請求項１または請求項２のいずれかに記載の方法。
【請求項４】
前記ポンプユニットは、別の注射器ポンプによって前記エーロゾル発生器ユニットに液体製剤を送出する間に１つの注射器ポンプの入口内に液体製剤を供給するように作動可能なバルブ構成を含み、
前記流量を前記第１の流量から前記第２の流量に増加させる段階は、各注射器サイクル毎に少なくとも一度実施される、
ことを特徴とする請求項１ないし請求項３のいずれか１つの請求項に記載の方法。
【請求項５】
流体供給源から流体を分注する方法であって、
各ポンプが吸引バルブ及び排出バルブを有する第１の注射器ポンプ及び第２の注射器ポンプを有するポンプユニットに流体を供給する段階と、
前記吸引バルブを閉じて前記排出バルブを開くことにより、前記第１の注射器ポンプから前記流体を排出する段階と、
前記第２の注射器ポンプ内に前記流体を吸入するために、前記吸引バルブを開いて前記排出バルブを閉じることにより、該第２の注射器ポンプを吸入させる段階と、
を含むことを特徴とする請求項４に記載の方法。
【請求項６】
前記第２の注射器ポンプを吸入させる段階は、前記第１の注射器ポンプが該第１の注射器ポンプから前記流体を排出する段階を完了する前に完了することを特徴とする請求項５に記載の方法。
【請求項７】
前記吸引バルブを閉じて前記排出バルブを開くことにより、前記第２の注射器ポンプから前記流体を排出する段階と、
前記第１の注射器ポンプ内に前記流体を吸入するために、前記吸引バルブを開いて前記排出バルブを閉じることにより、該第１の注射器ポンプを吸入させる段階と、
を更に含むことを特徴とする請求項５または請求項６のいずれかに記載の方法。
【請求項８】
前記第１の注射器ポンプを吸入させる段階は、前記第２の注射器ポンプが該第２の注射器ポンプから前記流体を排出する段階を完了する前に完了することを特徴とする請求項７に記載の方法。
【請求項９】
前記第１及び第２の注射器ポンプを同時に定期的に排出させる段階を更に含むことを特徴とする請求項５ないし請求項８のいずれか１つの請求項に記載の方法。
【請求項１０】
前記システムは、作動圧力を有し、
前記第１の流量を前記第２の流量へ定期的に増加させる段階は、前記システム内の前記作動圧力を増加させる、
ことを特徴とする請求項１ないし請求項９のいずれか１つの請求項に記載の方法。
【請求項１１】
１０秒又はそれよりも短い時間毎に１回のバーストの頻度で１秒よりも短い時間にわたって前記第１の流量を前記第２の流量へ増加させる段階を更に含むことを特徴とする請求項１ないし請求項１０のいずれか１つの請求項に記載の方法。
【請求項１２】
詰まりのない毛細管を維持するためのシステムであって、
毛細通路を有するエーロゾル発生ユニットと、
液体製剤と、
前記液体製剤の少なくとも一部分が前記エーロゾル発生ユニットの前記毛細管内で気化する該エーロゾル発生ユニットに、ある一定の流量で該液体製剤を供給するポンプユニットと、
詰まり防止のために前記流量の定期的増加をもたらすように前記ポンプユニットを作動し、より高い濃度を有する液体製剤に対して流量増加の頻度を増加するコントローラと、
を含むことを特徴とするシステム。
【請求項１３】
流量の前記定期的増加は、該流量の第１の流量から第２の流量への定期的増加を更に含み、
前記第２の流量は、前記第１の流量の少なくとも２倍である、
ことを特徴とする請求項１２に記載のシステム。
【請求項１４】
前記ポンプユニットは、１対の注射器ポンプを有し、
前記ポンプユニットは、注射器ポンプの入口内に前記液体製剤を、他方の注射器ポンプによって該液体製剤を前記エーロゾル発生器ユニットに送出する間に供給するように作動可能なバルブ構成を含み、
前記流量の第１の流量から第２の流量への増加は、各注射器サイクル毎に少なくとも一度実施される、
ことを特徴とする請求項１２または請求項１３のいずれかに記載のシステム。
【請求項１５】
１０秒又はそれよりも短い時間毎に１回のバーストの頻度での１秒よりも短い時間にわたる第１の流量の第２の流量への増加を更に含むことを特徴とする請求項１２ないし請求項１４のいずれか１つの請求項に記載のシステム。
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
液体製剤が、毛細通路において少なくとも部分的に気化し、該毛細通路から排出されてエーロゾルを形成するエーロゾル発生器と、
前記エーロゾル発生器に液体製剤を供給するようになったポンプユニットと、
前記ポンプユニットと前記毛細通路の間に位置し、前記液体製剤が該毛細通路に入る時に該液体製剤の圧力を増大させる流体要素と、
を含むことを特徴とするエーロゾル発生システム。
【請求項２】
前記流体要素は、前記液体製剤が前記毛細通路に入る前に該液体製剤の粒子サイズを低減することを特徴とする請求項１に記載のシステム。
【請求項３】
前記流体要素は、管状部材であることを特徴とする請求項１または請求項２のいずれかに記載のシステム。
【請求項４】
前記管状部材は、約１００ｍｍから３００ｍｍ（４インチから１２インチ）の長さを有することを特徴とする請求項３に記載のシステム。
【請求項５】
前記毛細通路は、毛細管であり、
前記管状部材の内径が、前記毛細管の内径よりも小さい、
ことを特徴とする請求項３または請求項４のいずれかに記載のシステム。
【請求項６】
前記流体要素は、コイル状管状要素であることを特徴とする請求項１ないし請求項５のいずれか１つの請求項に記載のシステム。
【請求項７】
前記コイル状管状要素は、螺旋形状を有することを特徴とする請求項６に記載のシステム。
【請求項８】
前記流体要素は、非線形チャンネルを有するプレート状要素であることを特徴とする請求項１または請求項２のいずれかに記載のシステム。
【請求項９】
前記流体要素は、前記ポンプユニットと前記毛細通路の出口との間の圧力を毎秒２０マイクロリットル（μｌ／ｓ）の液体流量において約１ＭＰａから７ＭＰａ（１５０ｐｓｉから１０００ｐｓｉ）だけ増大させることを特徴とする請求項１ないし請求項８のいずれか１つの請求項に記載のシステム。
【請求項１０】
エーロゾルを生成する方法であって、
毛細通路の入口での液体材料の圧力が少なくとも１０００ｐｓｉであるように、加熱した毛細通路に液体材料を供給する段階と、
前記加熱した毛細通路を用いてエーロゾルを発生させる段階と、
を含むことを特徴とする方法。
【請求項１１】
流量の増加した加熱エーロゾルを生成するために加熱空気を前記発生したエーロゾルと混ぜる段階を更に含むことを特徴とする請求項１０に記載の方法。
【請求項１２】
前記液体材料は、約７．９ＭＰａから１０ＭＰａ（１１５０ｐｓｉから１４５０ｐｓｉ）の圧力で前記毛細通路の前記入口に入ることを特徴とする請求項１０または請求項１１のいずれかに記載の方法。
【請求項１３】
前記液体材料は、前記毛細通路の前記入口に入る前にサイズの縮小した流体要素を通して送り出されることを特徴とする請求項１０ないし請求項１２のいずれか１つの請求項に記載の方法。
【請求項１４】
前記液体材料は、前記毛細通路において少なくとも部分的に揮発し、該揮発した液体は、通路の長さに沿って均一な断面を有する該毛細通路の出口を通って出て、該出口は、前記入口よりも小さいことを特徴とする請求項１０ないし請求項１３のいずれか１つの請求項に記載の方法。
【請求項１５】
前記液体材料は、肺表面活性剤を含み、前記エーロゾルは、ＣＰＡＰ空気送出ラインに供給されることを特徴とする請求項１０ないし請求項１４のいずれか１つの請求項に記載の方法。
【請求項１６】
前記液体材料は、毎秒１８から２２マイクロリットル（μｌ／ｓ）の流量で前記毛細通路の前記入口に連続的に送り出されることを特徴とする請求項１０ないし請求項１５のいずれか１つの請求項に記載の方法。
【請求項１７】
前記液体材料は、前記毛細通路の前記入口の直径よりも小さい内径を有する線形又は非線形通路を通して送り出されることを特徴とする請求項１０ないし請求項１６のいずれか１つの請求項に記載の方法。
【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
マトリクス中に分散するエラストマー相を含むポリマー複合物から少なくとも部分的に製作されたステント体であって、
前記複合物は、ガラス状マトリクスポリマーにブレンドされたブロックコポリマーを備え、
前記ブロックコポリマーはエラストマー状ホモポリマーブロックとガラス状ポリマーブロックとを含み、
前記エラストマー相は前記エラストマー状ブロックを含み、
前記マトリクス相は前記ガラス状マトリクスポリマーと前記ガラス状ポリマーブロックとを含み、
前記エラストマー状ブロックは、生理学的条件下において前記ガラス状ブロックおよび前記ガラス状マトリクスポリマーよりも靭性が高い、
ステント体。
【請求項２】
前記エラストマー状ホモポリマーブロックはＰＣＬ、ＰＴＭＣ、ＰＨＢ、およびＰＤＯからなる群より選択され、
前記ガラス状ブロックはＰＬＬＡおよびＰＬＧＡからなる群より選択される、
請求項１に記載のステント体。
【請求項３】
前記ＰＬＬＡガラス状ブロックは２０ｋｇ／ｍｏｌから２００ｋｇ／ｍｏｌの間の分子量を含む、
請求項２に記載のステント体。
【請求項４】
前記ガラス状ブロックは体温よりも高いＴｇを有するとともに、前記エラストマー状ブロックは体温よりも低いＴｇを有する、
請求項１乃至請求項３の何れか１項に記載のステント体。
【請求項５】
前記エラストマー状ホモポリマーブロックは前記ガラス状マトリクスポリマーよりも分解速度が速く、
前記エラストマー相の分解により前記ステント体の分解期間は減少する、
請求項１乃至請求項４の何れか１項に記載のステント体。
【請求項６】
前記エラストマー相が前記ステント体の靭性を増加できるように、前記ブロックコポリマーは前記マトリクスと前記エラストマー相との密着性を増加させる、
請求項１乃至請求項５の何れか１項に記載のステント体。
【請求項７】
前記複合物は、前記エラストマー状ブロックと同一の組成を有するエラストマー状ポリマーをさらに含み、
前記エラストマー相の大部分は前記エラストマー状ポリマーを含み、
前記ブロックコポリマーは前記エラストマー相と前記マトリクスとの間の相溶化剤として作用する、
請求項１乃至請求項６の何れか１項に記載のステント体。
【請求項８】
前記ガラス状マトリクスポリマーおよび前記ガラス状ブロックはＰＬＬＡを含み、
前記エラストマー状ブロックはＰＣＬ、ＰＴＭＣ、ＰＨＢ、およびＰＤＯからなる群より選択される、
請求項１乃至請求項７の何れか１項に記載のステント体。